(57)【特許請求の範囲】
【請求項１】
複数の記録媒体に対してデータを記録及び再生する記録再生装置であって、
各記録媒体ごとに表示領域を設けた表示画面に対し、各記録媒体に記録されたデータを各々対応する表示領域に同時に表示する表示手段と、
前記表示画面に表示されたデータから特定のデータを選択する選択手段と、
前記選択されたデータの移動先を指定する指定手段と、を有し、
前記指定手段により指定された移動先に前記選択されたデータの記録元となる記録媒体以外の表示領域が存在しない場合、前記選択されたデータを前記記録元となる記録媒体から削除することを特徴とする記録再生装置。
【請求項２】
前記表示手段は、少なくとも３つの記録媒体の表示領域を前記表示画面に表示する場合であって、前記選択されたデータの記録元の記録媒体に対応する表示領域が他の表示領域に挟まれて表示される場合に、当該記録元の記録媒体に対応する表示領域が最上段又は最下段に表示されるように表示領域の配列を変更することを特徴とする請求項１に記載の記録再生装置。
【請求項３】
複数の記録媒体に記録されたデータを記録及び再生する記録再生方法であって、
各記録媒体ごとに表示領域を設けた表示画面に対し、各記録媒体に記録されたデータを各々対応する表示領域に同時に表示する表示工程と、
前記表示画面に表示されたデータから特定のデータを選択する選択工程と、
選択された前記データの移動先を指定する指定工程と、
指定された移動先に前記選択されたデータの記録元となる記録媒体以外の表示領域が存在しない場合、前記選択されたデータを前記記録元となる記録媒体から削除する工程と、を有することを特徴とする記録再生方法。
【請求項４】
前記表示工程では、少なくとも３つの記録媒体の表示領域を前記表示画面に表示する場合であって、前記選択されたデータの記録元の記録媒体に対応する表示領域が他の表示領域に挟まれて表示される場合に、当該記録元の記録媒体に対応する表示領域が最上段又は最下段に表示されるように表示領域の配列を変更することを特徴とする請求項３に記載の記録再生方法。
【発明の詳細な説明】
【技術分野】
【０００１】
本発明は、記録媒体に記録された静止画や動画等のデータを管理する方法に関するものである。
【背景技術】
【０００２】
近年、２つ以上の記録媒体を取り扱えるデジタルスチルカメラやデジタルビデオカメラが増えてきている。そのような機器では、静止画像や動画像をそれぞれの記録媒体に記録可能となっており、いずれの記録媒体に記録した場合でも、記録した画像を観賞できるようになっている。また、ユーザにおいて画像をパーソナルコンピュータ（ＰＣ）等で扱いやすい記録媒体に移動したり、知人に配布する等の用途でより安価な記録媒体に複製するために、それぞれの記録媒体間でのデータの複製や移動等を行う機能が提供されているカメラが多い。一般的には、このような操作は複製／移動対象の画像が記録されている記録媒体の再生モードで行われる。
【０００３】
特許文献１には、記録媒体に記録された画像データを選択して、他の記録媒体に記録させる指示をドラック＆ドロップ等により入力することで、選択された画像データとその関連情報とを他の記録媒体に記録する技術が記載されている。
【特許文献１】特開２００４−０１５３０８号公報
【発明の開示】
【発明が解決しようとする課題】
【０００４】
しかしながら、再生モードは記録媒体ごとに起動されるため、複製／移動元の記録媒体の再生モードでは、複製／移動先の記録媒体にどのような画像が記録されているのか確認することができない。また、確認するには、ユーザがその都度複製／移動元の記録媒体から複製／移動先の記録媒体に再生モードを切り替える必要がある。
【０００５】
一方、ＰＣでは、複製／移動元や複製／移動先の内容を見ながら、ドラッグ＆ドロップ操作による複製／移動操作が一般的である。
【０００６】
しかしながら、十字キーのように上下及び左右方向を指定する程度の限られた操作部しか持たないデジタルカメラ等では、マウス等で操作することを前提とした操作手段を採用することは難しい。
【０００７】
本発明は、上記課題に鑑みてなされ、その目的は、複数の記録媒体に記録された各画像の内容を同一画面上で確認しながら、画像の複製、移動、消去等を簡単な操作で行うことができる技術を実現することである。
【課題を解決するための手段】
【０００９】
上述の課題を解決し、目的を達成するために、本発明は、複数の記録媒体に対してデータを記録及び再生する記録再生装置であって、各記録媒体ごとに表示領域を設けた表示画面に対し、各記録媒体に記録されたデータを各々対応する表示領域に同時に表示する表示手段と、前記表示画面に表示されたデータから特定のデータを選択する選択手段と、前記選択されたデータの移動先を指定する指定手段と、を有し、前記指定手段により指定された移動先に前記選択されたデータの記録元となる記録媒体以外の表示領域が存在しない場合、前記選択されたデータを前記記録元となる記録媒体から削除する。
【００１１】
また、本発明は、複数の記録媒体に記録されたデータを記録及び再生する記録再生方法であって、各記録媒体ごとに表示領域を設けた表示画面に対し、各記録媒体に記録されたデータを各々対応する表示領域に同時に表示する表示工程と、前記表示画面に表示されたデータから特定のデータを選択する選択工程と、選択された前記データの移動先を指定する指定工程と、指定された移動先に前記選択されたデータの記録元となる記録媒体以外の表示領域が存在しない場合、前記選択されたデータを前記記録元となる記録媒体から削除する工程と、を有する。
【発明の効果】
【００１２】
本発明によれば、同一画面上に複数の記録媒体のデータを同時に表示するので、複数の記録媒体に記録された各画像の内容を同一画面上で確認しながら、画像の複製、移動、消去等を簡単な操作で行うことができる。また、上下及び左右方向を指定する程度の限られた操作手段しか持たない機器であっても、画像の複製、移動、消去等を簡単な操作で行うことができる。
【発明を実施するための最良の形態】
【００１３】
以下、本発明に係る一実施形態について図面を参照して詳細に説明する。
【００１４】
なお、以下に説明する実施形態は、本発明の実現手段としての一例であり、本発明が適用される装置の構成や各種条件によって適宜修正又は変更されるべきものであり、本発明は以下の実施形態に限定されるものではない。
【００１５】
［第１の実施形態］
本実施形態は、光学式ディスクとメモリーカードという異種の記録媒体を取り扱えるデジタルカメラ等の電子機器において、記録媒体からのデータの削除や、２つの記録媒体間でデータの複製を行う場合に適用した例である。
【００１６】
図１は本発明に係る実施形態の記録再生装置のブロック図である。
【００１７】
図１において、Ｃ１は被写体を映像信号に変換する撮像部である。Ｂ１は映像信号処理回路Ｂ４で処理された映像信号を圧縮して光学式ディスク／メモリーカード／ハードディスク等の記録媒体に記録する処理や、記録媒体から画像データを再生する処理を行う記録再生データ処理回路である。
【００１８】
Ｂ２は各部の制御を行うシステムコントローラ、Ｂ３は画面表示用の文字信号発生回路、Ｂ４は撮像部Ｃ１の映像信号処理を行うカメラ映像信号処理回路である。
【００１９】
また、Ｄ１は光学式ディスクへのデータの書き込みを行う光学式ディスクドライブ部、Ｄ２はハードディスクへのデータの書き込みを行うハードディスクドライブ部である。Ｍ１はメモリーカードへのデータの書き込みを行うメモリーカード制御部及びメモリーカードスロットである。
【００２０】
Ｖ１は撮影画像の表示や再生画像の表示を行う液晶パネル、Ｌ１は映像信号の入出力を行う映像信号入出力端子、Ｌ２は音声信号の入出力を行う音声信号入出力端子である。
【００２１】
ＳＷ１は上方向を指定するための上スイッチ、ＳＷ２は下方向を指定するための下スイッチ、ＳＷ３は左方向を指定するための左スイッチ、ＳＷ４は右方向を指定するための右スイッチである。
【００２２】
ＳＷ５は後述するデータ管理モードにおいて操作対象の記録媒体を選択するためのメディア切替スイッチである。
【００２３】
図２は本実施形態の記録再生装置のデータ管理モードでの画面を例示する図である。
【００２４】
ここで、データ管理モードは、それぞれの記録媒体の内容を確認しながらデータの移動、複製、削除等の操作を行うモードであると定義する。
【００２５】
図２において、１の光学式ディスクのマークと帯は、そこが光学式ディスク内のデータの表示領域であることを示している。また、その帯の上に表示されている２の四角形２は、光学式ディスク内の画像データを表している。
【００２６】
また、３のメモリーカードのマークと帯は、そこがメモリーカード内のデータの表示領域であることを示している。また、その帯の上に表示されている四角形４は、メモリーカード内の画像データを表している。
【００２７】
５の括弧は画像の選択カーソルを表しており、このカーソルで選択された画像が、複製／移動／削除等の操作の対象となる。
【００２８】
なお、本実施形態では画像はそれぞれのメディアごとに左から右へと順に並んで記録されており、画面に描かれていない位置にも画像は存在しているものとする。また、画像の配列は、ファイル形式や日付順などの所定のルールに基づいて決められる。
【００２９】
＜動作フロー＞
次に、図３のフローチャートを用いて第１の実施形態の記録再生装置による動作について説明する。なお、以下の説明ではデータ管理モードへの移行方法については言及していない。この移行操作については、それぞれの記録媒体の再生モードからスイッチ等の操作により移行してもよいし、メニュー等の手段によりデータ管理画面への移行選択、決定する、等の方法でも良い。本実施形態ではデータ管理モードへ移行した状態から説明を行う。
【００３０】
図３は本発明に係る実施形態の記録再生装置の動作フローであり、システムコントローラＢ２がＲＯＭに書き込まれている制御プログラムを実行することにより実現される。
【００３１】
図３において、ステップＳ１０１では、メディア切替スイッチＳＷ５が押されたかどうかを判定し、押されていた場合はステップＳ１０２、押されていなければステップＳ１０３へ進む。
【００３２】
ステップＳ１０２では、画像選択カーソルを現在選択されていない側の記録媒体の画像に移動させる。ここでは、例えば、光学式ディスク内の画像が選択されていればメモリーカード側に、メモリーカード内の画像が選択されていれば光学式ディスク側にカーソルを移動させることによって、操作対象とするメディアを簡単に切り替えることができる。カーソルを移動させた後、ステップＳ１０１へと戻る。
【００３３】
ステップＳ１０３では、左スイッチＳＷ３が押されたかどうかを判定し、押されていた場合はステップＳ１０４、押されていなければステップＳ１０５へと進む。
【００３４】
ステップＳ１０４では、画像選択カーソルを左方向へ移動させる。なお、左方向の画像が画面に描画されていない場合は、現在選択中の記録媒体の画像群をスクロールさせる。また、一番先頭に配列された画像が選択中であった場合、カーソルを移動させないか、若しくはカーソルを最後尾の画像に移動させる。このようなカーソル移動操作によって、ユーザは自由に選択中の記録媒体の画像を閲覧できる。カーソルを移動後、ステップＳ１０１へと戻る。
【００３５】
ステップＳ１０５では、右スイッチＳＷ４が押されたかどうかを判定し、押されていた場合はステップＳ１０６、押されていなければステップＳ１０７へと進む。
【００３６】
ステップＳ１０６では、画像選択カーソルを右方向へ移動させる。右方向の画像が画面に描画されていない場合は、現在選択中の記録媒体の画像群をスクロールさせる。また、一番最後に配列された画像が選択中であった場合、カーソルを移動させないか、若しくはカーソルを先頭の画像に移動させる。カーソルを移動後、ステップＳ１０１へと戻る。
【００３７】
ステップＳ１０７では、上スイッチＳＷ１が押されたかどうかを判定し、押されていた場合はステップＳ１０８、押されていなければステップＳ１１１へと進む
ステップＳ１０８では、現在選択されている画像の上方向に未選択の記録媒体の表示領域があるかどうかを判定し、未選択の記録媒体の表示領域があればステップＳ１０９、なければステップＳ１１０へと進む。
【００３８】
ステップＳ１０９では、他方の記録媒体側にスイッチが押されたことになるので、現在選択されている画像１ｂを、他方の記録媒体（メモリーカード）へと複製し（図４）、しかる後に画像の複製操作を終了する。なお、詳しい説明は省略するが、画像複製操作を終了した後、データ管理モードを維持するか、別のモードへと移行するかはユーザーが任意に決めることができる。
【００３９】
ステップＳ１１０では、画面の外側方向へとスイッチが押されたことになるので、選択中の画像１ｂを記録媒体から消去し（図５）、しかる後に画像の消去操作を終了する。画像消去操作の終了後も、データ管理モードを維持するか、別のモードへと移行するのかはユーザーが任意に決めることができる。
【００４０】
ステップＳ１１１では、下スイッチＳＷ２が押されたかどうかを判定する。押されていた場合はステップＳ１１２、押されていなければステップＳ１０１へと戻る。
【００４１】
ステップＳ１１２では、現在選択されているの画像の下方向に未選択の記録媒体の表示領域があるか判定し、未選択の記録媒体の表示領域があればステップＳ１０９、なければステップＳ１１０へと進み、同様の処理を実行する。
【００４２】
上記実施形態によれば、光学式ディスク／メモリーカードの各画像の内容を同一画面上で確認することができる。更に、選択した画像に対して画面の外側方向にスイッチを押せば画像の消去を、他の記録媒体側にスイッチを押せばその記録媒体に対する画像の複製を、簡単な操作で行うことができる。
【００４３】
［第２の実施形態］
本実施形態では、光学式ディスク、メモリーカード及びハードディスクという異なる３種類の記録媒体を取り扱える電子機器において、記録媒体からのデータの複製を行う場合に適用した例である。なお、本実施形態を実現する装置構成は図１と同様であるため説明を省略する。
【００４４】
図６は本実施形態のデータ管理モードでの画面を例示している。本実施形態では、第１の実施形態と比べて、記録媒体の数が３つに増えたため、データ管理モードでのデータの表示領域も、それに合わせて３段に増加している。つまり、図２の表示領域にハードディスク内のデータ表示領域が追加されている。なお、本実施形態では、表示領域は少なくとも３つあればよく、記録媒体の数に応じて増減する。
【００４５】
６のハードディスクのマークと帯は、ハードディスク内のデータの表示領域であることを示し、その帯の上に表示されている四角７は、ハードディスク内の画像データを表している。その他の符号１〜４は図２と同様に光学式ディスク若しくはメモリーカード内のデータの表示領域を示している。また、５の括弧は画像の選択カーソルを表している。
【００４６】
［動作フロー］
次に、図７のフローチャートを用いて第２の実施形態の記録再生装置による動作について説明する。なお、以下の説明でもデータ管理モードへの移行操作については、それぞれの記録媒体の再生モードからスイッチ等の操作により移行してもよいし、メニュー等の手段によりデータ管理画面への移行選択、決定する、等の方法でも良い。
【００４７】
図７は本発明に係る実施形態の記録再生装置の動作フローであり、システムコントローラＢ２がＲＯＭに書き込まれている制御プログラムを実行することにより実現される。
【００４８】
図７において、ステップＳ２０１では、メディア切替スイッチＳＷ５が押されたかどうかを判定し、押されていた場合はステップＳ２０２へ、押されていなければステップＳ２０３へと進む。
【００４９】
ステップＳ２０２では、第１の実施形態と異なり、画像選択カーソルを移動させるのではなく、記録媒体の表示領域の配列を変更する（図８）。つまり、上述の画像選択カーソルを画面外に操作して消去する方法では、表示領域が二段目に位置する記録媒体で選択されている画像を消去する際に、画面外への操作ができなくなってしまう。このため、図８のように選択された画像の記録媒体に対応する表示領域が他の表示領域に挟まれて表示される場合には、当該記録元の記録媒体に対応する表示領域が最上段に表示されるように表示領域の配列を変更する。なお、下スイッチＳＷ２を押して消去する場合には、記録元の記録媒体に対応する表示領域が最下段に表示されるように表示領域の配列を変更すればよい。
【００５０】
図８のように表示領域の配列を変更した後、ステップＳ２０１へと戻る。
【００５１】
ステップＳ２０３では、左スイッチＳＷ３が押されたかどうかを判定し、押されていた場合はステップＳ２０４、押されていなければステップＳ２０５へと進む。
【００５２】
ステップＳ２０４では、画像選択カーソルを左方向へ移動させる。左方向の画像が画面に描画されていない場合は、現在選択中の記録媒体の画像群をスクロールさせる。また、一番先頭に配列された画像が選択中であった場合、カーソルを移動させないか、若しくはカーソルを最後尾の画像に移動させる。このカーソル移動操作によって、ユーザは自由に選択中の記録媒体の画像を閲覧できる。カーソルを移動後、ステップＳ２０１へと戻る。
【００５３】
ステップＳ２０５では、右スイッチＳＷ４が押されたかどうかを判定し、押されていた場合はステップＳ２０６、押されていなければステップＳ２０７へと進む。
【００５４】
ステップＳ２０６では、画像選択カーソルを右方向へ移動させる。右方向の画像が画面に描画されていない場合は、現在選択中の記録媒体の画像群をスクロールさせる。また、一番最後に配列された画像が選択中であった場合、カーソルを移動させないか、若しくはカーソルを先頭の画像に移動させる。カーソルを移動後、ステップＳ２０１へと戻る。
【００５５】
ステップＳ２０７では、上スイッチＳＷ１が押されたかどうかを判定し、押されていた場合はステップＳ２０８、押されていなければステップＳ２１１へと進む
ステップＳ２０８では、現在選択されているの画像の上方向に未選択の記録媒体の表示領域があるかどうかを判定し、未選択の記録媒体の表示領域があればステップＳ２０９、なければステップＳ２１０へと進む。
【００５６】
ステップＳ２０９では、他方の記録媒体側へとスイッチが押されたことになるので、現在選択されている画像を、上側に描画されている記録媒体へと移動し、しかる後に画像の複製操作を終了する。なお、画像複製操作を終了した後、データ管理モードを維持するか、別のモードへと移行するかはユーザーが任意に決めることができる。
【００５７】
ステップＳ２１０では、画面の外側方向へとスイッチが押されたことになるので、選択中の画像を記録媒体から消去し、しかる後に画像の消去操作を終了する。なお、画像消去操作を終了した後も、データ管理モードを維持するか、別のモードへと移行するかはユーザーが任意に決めることができる。
【００５８】
ステップＳ２１１では、下スイッチＳＷ２が押されたかどうかを判定し、押されていた場合はステップＳ２１２、押されていなければステップＳ２０１へと戻る。
【００５９】
ステップＳ２１２では、現在選択されているの画像の下方向に未選択の記録媒体の表示領域があるかどうかを判定し、未選択の記録媒体の表示領域があればステップＳ２１３、なければステップＳ２１０へと進む。
【００６０】
ステップＳ２１３では、他方の記録媒体側へとスイッチが押されたことになるので、現在選択されている画像１ｂを、下側に描画されている記録媒体（光学式ディスク）へと移動し（図９）、しかる後に画像の移動操作を終了する。なお、画像複製操作を終了した後、データ管理モードを維持するか、別のモードへと移行するかはユーザーが任意に決めることができる。
【００６１】
上記実施形態によれば、ハードディスク／光学式ディスク／メモリーカードの各画像の内容を同一画面上で確認することができる。更に、選択した画像に対して画面の外側方向にスイッチを押せば画像の消去を、他の記録媒体側にスイッチを押せばその記録媒体に対する画像の移動を、簡単な操作で行うことができる。
【００６２】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００６３】
また、本発明の目的は、図示の機能ブロック及び動作において、いずれの部分をハードウェア回路により実現し、或いはコンピュータを用いたソフトウェア処理によって実現しても達成されることは言うまでもない。
【００６４】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【００６５】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６６】
その場合、プログラムの機能を有していれば、オブジェクトコード、インタプリタにより実行されるプログラム、OSに供給するスクリプトデータ等の形態であっても良い。
【００６７】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００６８】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００６９】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【００７０】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【００７１】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図面の簡単な説明】
【００７２】
【図１】本発明に係る実施形態の記録再生装置のブロック図である。
【図２】本発明に係る第１の実施形態のデータ管理画面を例示する図である。
【図３】本発明に係る第１の実施形態の動作を示すフローチャートである。
【図４】本発明に係る第２の実施形態の画像複製操作を説明する図である。
【図５】本発明に係る第１の実施形態の画像消去操作を説明する図である。
【図６】本発明に係る第２の実施形態のデータ管理画面を例示する図である。
【図７】本発明に係る第２の実施形態の動作を示すフローチャートである。
【図８】本発明に係る第２の実施形態の表示領域の配列変更操作を説明する図である。
【図９】本発明に係る第２の実施形態の画像移動操作を説明する図である。
【符号の説明】
【００７３】
Ｃ１：撮像部
Ｂ１：記録再生データ処理回路
Ｂ２：システムコントローラ
Ｂ３：文字信号発生回路
Ｂ４：映像信号処理回路
Ｄ１：光学式ディスクドライブ
Ｄ２：ハードディスクドライブ
Ｍ１：メモリーカード
Ｖ１：液晶パネル
Ｌ１：映像信号入出力端子
Ｌ２：音声信号入出力端子
ＳＷ１：上スイッチ
ＳＷ２：下スイッチ
ＳＷ３：左スイッチ
ＳＷ４：右スイッチ
ＳＷ５：メディア切替スイッチ
【図１】
0004677352.tif 000002
【図２】
0004677352.tif 000003
【図３】
0004677352.tif 000004
【図４】
0004677352.tif 000005
【図５】
0004677352.tif 000006
【図６】
0004677352.tif 000007
【図７】
0004677352.tif 000008
【図８】
0004677352.tif 000009
【図９】
0004677352.tif 000010